【手続補正書】
【提出日】平成15年9月9日(2003.9.9)
【手続補正１】
【補正対象書類名】明細書
【補正対象項目名】特許請求の範囲
【補正方法】変更
【補正の内容】
【特許請求の範囲】
【請求項１】
入力された映像を記録媒体に記録するための記録手段と、前記記録媒体に記録されている映像を再生するための再生手段と、前記入力された映像の記録時に該映像を表示するとともに前記記録媒体に記録されている映像の再生時に該映像を表示するための表示手段とを備える映像記録再生装置において、前記入力された映像の前記記録媒体への記録動作と並行して前記記録媒体に記録されている映像の再生動作を行うように前記記録手段および前記再生手段を制御するとともに、前記記録動作と前記再生動作とが並行して行われるときに前記入力された映像と前記記録媒体から再生された映像とを同時に前記表示手段にそれぞれ表示可能なように制御することを特徴とする映像記録再生装置。
【請求項２】
前記記録動作と並行して行われる前記再生動作は、前記記録媒体における前記記録動作による現在の記録位置から所定時間後に到達する記録位置に対する再生動作からなることを特徴とする請求項１記載の映像記録再生装置。
【請求項３】
前記記録動作と前記再生動作とが並行して行われるときに前記入力された映像と前記記録媒体から再生された映像とを合成して前記表示手段に表示するように設定可能であることを特徴とする請求項１記載の映像記録再生装置。
【請求項４】
前記入力された映像と前記記録媒体から再生された映像とを合成して前記表示手段に表示する際に、前記表示手段の画面における前記入力された映像と前記記録媒体から再生された映像とのそれぞれ表示範囲を任意に設定可能にしたことを特徴とする請求項３記載の映像記録再生装置。
【請求項５】
前記記録動作と前記再生動作とが並行して行われているときに、前記記録媒体における前記記録動作による現在の記録位置から所定時間後に到達する記録可能位置が存在するか否かを検出し、該所定時間後に到達する記録可能位置が存在しないことを検出すると、前記再生動作を停止するように前記再生手段を制御するとともに前記所定時間後に到達する記録可能位置が存在しない旨を前記表示手段に表示するように制御することを特徴とする請求項２記載の映像記録再生装置。
【請求項６】
前記記録動作と前記再生動作とが並行して行われているときに、前記記録媒体における前記記録動作による現在の記録位置から所定時間後に到達する記録位置に記録済みの映像が存在するか否かを検出し、該所定時間後に到達する記録位置に記録済みの映像が存在しないことを検出すると、前記再生動作を停止するように前記再生手段を制御することを特徴とする請求項２記載の映像記録再生装置。
【請求項７】
前記再生動作により再生された映像の消去を禁止するか否かを指示する指示手段を設け、前記記録動作と前記再生動作とが並行して行われているときに前記指示手段から前記再生動作により再生された映像の消去を禁止する指示が出されると、前記記録動作を停止するように前記記録手段を制御することを特徴とする請求項２記載の映像記録再生装置。
【請求項８】
前記入力された映像は、撮像手段から入力された映像であることを特徴とする請求項１ないし７のいずれか１つに記載の映像記録再生装置。
【請求項９】
入力された映像を記録媒体に記録するための記録手段と、前記記録媒体に記録されている映像を再生するための再生手段と、前記入力された映像の記録時に該映像を表示するとともに前記記録媒体に記録されている映像の再生時に該映像を表示するための表示手段とを備える映像記録再生装置に用いられる映像記録再生方法において、前記入力された映像の前記記録媒体への記録動作と並行して該記録媒体に記録されている映像の再生を行うように前記記録手段および前記再生手段を制御し、前記記録動作と前記再生動作とが並行して行われるときに前記入力された映像と前記記録媒体から再生された映像とを同時に前記表示手段にそれぞれ表示することを特徴とする映像記録再生方法。
【請求項１０】
前記記録動作と並行して行われる前記再生動作は、前記記録媒体における前記記録動作による現在の記録位置から所定時間後に到達する記録位置に対する再生動作からなることを特徴とする請求項９記載の映像記録再生方法。
【請求項１１】
前記記録動作と前記再生動作とが並行して行われるときに前記入力された映像と前記記録媒体から再生された映像とを合成して前記表示手段に表示することを特徴とする請求項９記載の映像記録再生方法。
【請求項１２】
前記入力された映像と前記記録媒体から再生された映像とを合成して前記表示手段に表示する際に、前記表示手段の画面における前記入力された映像と前記記録媒体から再生された映像とのそれぞれ表示範囲を設定することを特徴とする請求項１１記載の映像記録再生方法。
【請求項１３】
前記記録動作と前記再生動作とが並行して行われているときに、前記記録媒体における前記記録動作による現在の記録位置から所定時間後に到達する記録可能位置が存在するか否かを検出し、該所定時間後に到達する記録可能位置が存在しないことを検出すると、前記再生動作を停止するように前記再生手段を制御するとともに前記所定時間後に到達する記録可能位置が存在しない旨を前記表示手段に表示するように制御することを特徴とする請求項１０記載の映像記録再生方法。
【請求項１４】
前記記録動作と前記再生動作とが並行して行われているときに、前記記録媒体における前記記録動作による現在の記録位置から所定時間後に到達する記録位置に記録済みの映像が存在するか否かを検出し、該所定時間後に到達する記録位置に記録済みの映像が存在しないことを検出すると、前記再生動作を停止するように前記再生手段を制御することを特徴とする請求項１０記載の映像記録再生方法。
【請求項１５】
前記記録動作と前記再生動作とが並行して行われているときに前記再生動作により再生された映像の消去を禁止する指示が出されると、前記記録動作を停止するように前記記録手段を制御することを特徴とする請求項１０記載の映像記録再生方法。
【請求項１６】
入力された映像を記録媒体に記録するための記録手段と、前記記録媒体に記録されている映像を再生するための再生手段と、前記記録手段における記録動作と前記再生手段における再生動作とを制御する制御手段とを備えた映像記録再生装置において、前記制御手段は前記入力された映像の前記記録媒体への記録動作と並行して前記記録媒体に記録されている映像のうち現在の記録位置から所定時間後に到達する記録位置に対する映像の再生動作を行うように前記記録手段および前記再生手段を制御可能であることを特徴とする映像記録再生装置。
【請求項１７】
前記制御手段は前記記録動作と前記再生動作とが並行して行われているときに、前記記録媒体における前記記録動作による現在の記録位置から所定時間後に到達する記録可能位置が存在するか否かを検出し、該所定時間後に到達する記録可能位置が存在しないことを検出すると、前記再生動作を停止するように前記再生手段を制御することを特徴とする請求項１６記載の映像記録再生装置。
【請求項１８】
前記制御手段は前記記録動作と前記再生動作とが並行して行われているときに、前記記録媒体における前記記録動作による現在の記録位置から所定時間後に到達する記録位置に記録済みの映像が存在するか否かを検出し、該所定時間後に到達する記録位置に記録済みの映像が存在しないことを検出すると、前記再生動作を停止するように前記再生手段を制御することを特徴とする請求項１６記載の映像記録再生装置。
【請求項１９】
前記再生動作により再生された映像の消去を禁止するか否かを指示する指示手段を設け、前記記録動作と前記再生動作とが並行して行われているときに前記指示手段から前記再生動作により再生された映像の消去を禁止する指示が出されると、前記制御手段は前記記録動作を停止するように前記記録手段を制御することを特徴とする請求項１６記載の映像記録再生装置。
【請求項２０】
前記入力された映像は、撮像手段から入力された映像であることを特徴とする請求項１６ないし１９のいずれか１つに記載の映像記録再生装置。
【請求項２１】
入力された映像を記録媒体に記録するための記録手段と、前記記録媒体に記録されている映像を再生するための再生手段と、前記記録手段における記録動作と前記再生手段における再生動作とを制御する制御手段とを備えた映像記録再生装置において、前記制御手段は前記入力された映像の前記記録媒体への記録動作と並行して前記記録媒体に記録されている映像のうち所定時間後に上書きされる映像の再生動作を行うように前記記録手段および前記再生手段を制御可能であることを特徴とする映像記録再生装置。
【請求項２２】
前記制御手段は前記記録動作と前記再生動作とが並行して行われているときに、前記記録媒体における前記記録動作による現在の記録位置から所定時間後に到達する記録可能位置が存在するか否かを検出し、該所定時間後に到達する記録可能位置が存在しないことを検出すると、前記再生動作を停止するように前記再生手段を制御することを特徴とする請求項２１記載の映像記録再生装置。
【請求項２３】
前記制御手段は前記記録動作と前記再生動作とが並行して行われているときに、前記記録媒体における前記記録動作によって所定時間後に上書きされる映像が存在するか否かを検出し、該所定時間後に上書きされる映像が存在しないことを検出すると、前記再生動作を停止するように前記再生手段を制御することを特徴とする請求項２１記載の映像記録再生装置。
【請求項２４】
前記再生動作により再生された映像の消去を禁止するか否かを指示する指示手段を設け、前記記録動作と前記再生動作とが並行して行われているときに前記指示手段から前記再生動作により再生された映像の消去を禁止する指示が出されると、前記制御手段は前記記録動作を停止するように前記記録手段を制御することを特徴とする請求項２１記載の映像記録再生装置。
【請求項２５】
前記入力された映像は、撮像手段から入力された映像であることを特徴とする請求項２１ないし２４のいずれか１つに記載の映像記録再生装置。
【手続補正２】
【補正対象書類名】明細書
【補正対象項目名】００２３
【補正方法】変更
【補正の内容】
【００２３】
請求項１５記載の発明は、請求項１０記載の映像記録再生方法において、前記記録動作と前記再生動作とが並行して行われているときに前記再生動作により再生された映像の消去を禁止する指示が出されると、前記記録動作を停止するように前記記録手段を制御することを特徴とする。
請求項１６記載の発明は、入力された映像を記録媒体に記録するための記録手段と、前記記録媒体に記録されている映像を再生するための再生手段と、前記記録手段における記録動作と前記再生手段における再生動作とを制御する制御手段とを備えた映像記録再生装置において、前記制御手段は前記入力された映像の前記記録媒体への記録動作と並行して前記記録媒体に記録されている映像のうち現在の記録位置から所定時間後に到達する記録位置に対する映像の再生動作を行うように前記記録手段および前記再生手段を制御可能であることを特徴とする。
請求項１７記載の発明は、請求項１６記載の映像記録再生装置において、前記制御手段は前記記録動作と前記再生動作とが並行して行われているときに、前記記録媒体における前記記録動作による現在の記録位置から所定時間後に到達する記録可能位置が存在するか否かを検出し、該所定時間後に到達する記録可能位置が存在しないことを検出すると、前記再生動作を停止するように前記再生手段を制御することを特徴とする。
請求項１８記載の発明は、請求項１６記載の映像記録再生装置において、前記制御手段は前記記録動作と前記再生動作とが並行して行われているときに、前記記録媒体における前記記録動作による現在の記録位置から所定時間後に到達する記録位置に記録済みの映像が存在するか否かを検出し、該所定時間後に到達する記録位置に記録済みの映像が存在しないことを検出すると、前記再生動作を停止するように前記再生手段を制御することを特徴とする。
請求項１９記載の発明は、請求項１６記載の映像記録再生装置において、前記再生動作により再生された映像の消去を禁止するか否かを指示する指示手段を設け、前記記録動作と前記再生動作とが並行して行われているときに前記指示手段から前記再生動作により再生された映像の消去を禁止する指示が出されると、前記制御手段は前記記録動作を停止するように前記記録手段を制御することを特徴とする。
請求項２０記載の発明は、請求項１６ないし１９のいずれか１つに記載の映像記録再生装置において、前記入力された映像は、撮像手段から入力された映像であることを特徴とする。
請求項２１記載の発明は、入力された映像を記録媒体に記録するための記録手段と、前記記録媒体に記録されている映像を再生するための再生手段と、前記記録手段における記録動作と前記再生手段における再生動作とを制御する制御手段とを備えた映像記録再生装置において、前記制御手段は前記入力された映像の前記記録媒体への記録動作と並行して前記記録媒体に記録されている映像のうち所定時間後に上書きされる映像の再生動作を行うように前記記録手段および前記再生手段を制御可能であることを特徴とする。
請求項２２記載の発明は、請求項２１記載の映像記録再生装置において、前記制御手段は前記記録動作と前記再生動作とが並行して行われているときに、前記記録媒体における前記記録動作による現在の記録位置から所定時間後に到達する記録可能位置が存在するか否かを検出し、該所定時間後に到達する記録可能位置が存在しないことを検出すると、前記再生動作を停止するように前記再生手段を制御することを特徴とする。
請求項２３記載の発明は、請求項２１記載の映像記録再生装置において、前記制御手段は前記記録動作と前記再生動作とが並行して行われているときに、前記記録媒体における前記記録動作によって所定時間後に上書きされる映像が存在するか否かを検出し、該所定時間後に上書きされる映像が存在しないことを検出すると、前記再生動作を停止するように前記再生手段を制御することを特徴とする。
請求項２４記載の発明は、請求項２１記載の映像記録再生装置において、前記再生動作により再生された映像の消去を禁止するか否かを指示する指示手段を設け、前記記録動作と前記再生動作とが並行して行われているときに前記指示手段から前記再生動作により再生された映像の消去を禁止する指示が出されると、前記制御手段は前記記録動作を停止するように前記記録手段を制御することを特徴とする。
請求項２５記載の発明は、請求項２１ないし２４のいずれか１つに記載の映像記録再生装置において、前記入力された映像は、撮像手段から入力された映像であることを特徴とする。
【手続補正３】
【補正対象書類名】明細書
【補正対象項目名】０１４３
【補正方法】変更
【補正の内容】
【０１４３】
請求項１５記載の映像記録再生方法によれば、記録動作と再生動作とが並行して行われているときに再生動作により再生された映像の消去を禁止する指示が出されると、記録動作を停止するように記録手段を制御するから、消去したくない映像の消去を簡単な操作で未然に防止することができる。
請求項１６記載の映像記録再生装置によれば、記録媒体に記録済みの映像に上書きして新たな映像を記録するときに、記録媒体に既に記録されている映像が消去してよいものか否かを確認するための確認作業を手間を掛けずに簡単に行うことができる。
請求項２１記載の映像記録再生装置によれば、記録媒体に記録済みの映像に上書きして新たな映像を記録するときに、記録媒体に既に記録されている映像が消去してよいものか否かを確認するための確認作業を手間を掛けずに簡単に行うことができる。